(57)【要約】【課題】液晶を用いた表示パネルのむらを減らす。【解決手段】液晶表示装置（１）は、液晶を用いた表示パネルであって、セル厚の異なる複数の領域を有する表示パネル（２）と、複数の領域の各々に対し、互いに異なる印加電圧−透過率特性に応じたガンマ補正を行う駆動部（３）と、を備えている。【選択図】図１
2019159117.tif 000002
【特許請求の範囲】
【請求項１】
液晶を用いた表示パネルであって、セル厚の異なる複数の領域を有する表示パネルと、
上記複数の領域の各々に対し、互いに異なる印加電圧−透過率特性に応じたガンマ補正を行う駆動部と、
を備えている液晶表示装置。
【請求項２】
上記駆動部は、上記複数の領域の各々に対し、各領域のセル厚に応じた印加電圧−透過率特性に応じたガンマ補正を行う請求項１に記載の液晶表示装置。
【請求項３】
上記複数の領域は、上記表示パネルの中央領域と周辺領域とを含んでいる請求項１または２に記載の液晶表示装置。
【請求項４】
液晶表示装置の製造方法であって、
液晶を用いた表示パネルが有する、セル厚の異なる、複数の領域の各々に対し、
互いに異なる印加電圧−透過率特性に応じたガンマ補正を行うように、上記液晶表示装置が備えた駆動部を調整する、液晶表示装置の製造方法。
【請求項５】
上記複数の領域の各々に対し、各領域のセル厚に応じた印加電圧−透過率特性に応じたガンマ補正を行うように、上記駆動部を調整する請求項４に記載の液晶表示装置の製造方法。
【請求項６】
上記複数の領域は、上記表示パネルの中央領域と周辺領域とを含んでいる請求項４または５に記載の液晶表示装置の製造方法。
【発明の詳細な説明】
【技術分野】
【０００１】
本発明は、液晶表示装置、および、液晶表示装置の製造方法に関する。
【背景技術】
【０００２】
液晶モジュールによる表示パネルを設計する際には、表示パネル面内における液晶層のセル厚が一定になるように設計する。
【０００３】
しかしながら、実際の表示パネル面内では、セル厚が一定にならずに、表示むら（斑）として視認されるという問題がある。特に、表示パネルのアクティブエリア（ＡＡ）の周辺部では、アクティブエリア内のスペーサの高さと、額縁部のスペーサの高さとが合わないために、周辺むらが発生するという問題がある。
【先行技術文献】
【特許文献】
【０００４】
【特許文献１】国際公開２０１３０５８２５９号（２０１３年０４月２５日公開）
【発明の概要】
【発明が解決しようとする課題】
【０００５】
上記の問題は、表示パネルの設計において、アクティブエリア内のスペーサの高さと、額縁部のスペーサの高さとが同じになるように調整できずに、表示パネルの、中央部のセル厚と、周辺部のセル厚とが不均一になることが原因である。
【０００６】
図３は、従来技術に係る液晶表示装置１ａについて示す図である。図３（ａ）は、液晶表示装置１ａのセル厚ＣＴの分布図を示す。図３（ｂ）は、表示パネル２のＡ−Ａ’断面図を示す。なお、図３（ｂ）は、本発明の実施形態にも適用される。
【０００７】
図３（ａ）に示すように、液晶表示装置１ａは、表示パネル２と、駆動部３ａとを備えている。表示パネル２は、アクティブエリアＡＡと、額縁部ＦＰとを含んでいる。アクティブエリアＡＡは、表示パネル２のうち、駆動部３ａによる駆動電圧が及ぶ表示対象範囲である。額縁部ＦＰは、表示パネル２のフレーム部分である。そして、アクティブエリアＡＡのスペーサＳＰ１と、額縁部ＦＰのスペーサＳＰ２とでは、高さが異なる場合がある。
【０００８】
図３（ｂ）に示すように、表示パネル２は、第１ガラス２１と、カラーフィルタ２２と、液晶層２３と、ＴＦＴ（Thin Film Transistor）２４と、第２ガラス２５とが積層されて構成される。アクティブエリアＡＡ側の液晶層２３には、スペーサＳＰ１が設置される。額縁部ＦＰ側の液晶層２３には、スペーサＳＰ２、および、シールＳＬが設置される。セル厚ＣＴは、液晶層２３の厚さであり、換言すれば、カラーフィルタ２２と、ＴＦＴ２４との間の距離である。
【０００９】
周辺むらの発生は、アクティブエリアＡＡの、中央領域ＣＡと、周辺領域ＰＡとで、表示パネル２のセル厚ＣＴが異なることに起因する。詳細には、アクティブエリアＡＡの内側と外側とで、ＣＦ（Color Filer）ガラスである第１ガラス２１の成膜条件と、ＴＦＴガラスである第２ガラス２１の成膜条件とが異なる。そのため、アクティブエリアＡＡの、内側のＳＰ１の高さと、外側のＳＰ２の高さと、シールＳＬの条件とを最適化する必要がある。しかしながら、生産工程におけるばらつき等もあり、アクティブエリアＡＡの、中央領域ＣＡと、周辺領域ＰＡとでセル厚ＣＴの差が生じることによって、周辺むらが発生する。
【００１０】
本発明の一態様は、液晶を用いた表示パネルのむらを減らすことを目的とする。
【課題を解決するための手段】
【００１１】
上記の課題を解決するために、本発明の一態様に係る液晶表示装置は、液晶を用いた表示パネルであって、セル厚の異なる複数の領域を有する表示パネルと、上記複数の領域の各々に対し、互いに異なる印加電圧−透過率特性に応じたガンマ補正を行う駆動部と、を備えている。
【００１２】
また、上記の課題を解決するために、本発明の一態様に係る液晶表示装置の製造方法は、液晶を用いた表示パネルが有する、セル厚の異なる、複数の領域の各々に対し、互いに異なる印加電圧−透過率特性に応じたガンマ補正を行うように、上記液晶表示装置が備えた駆動部を調整するものである。
【発明の効果】
【００１３】
本発明の一態様によれば、液晶を用いた表示パネルのむらを減らすことができる。
【図面の簡単な説明】
【００１４】
【図１】本発明の実施形態１に係る液晶表示装置の構成を示す図であり、（ａ）は単一のガンマ補正を示し、（ｂ）は表示パネルの印加電圧−透過率特性を示し、（ｃ）は中央領域用のガンマ補正、および、周辺領域用のガンマ補正を示す。
【図２】本発明の実施形態２に係る液晶表示装置の構成を示す図であり、（ａ）は単一のガンマ補正を示し、（ｂ）はむらのない領域用のガンマ補正、および、むらのある領域用のガンマ補正を示す。
【図３】従来技術に係る液晶表示装置について示す図であり、（ａ）は液晶表示装置のセル厚の分布図を示し、（ｂ）は表示パネル２のＡ−Ａ’断面図を示す。
【発明を実施するための形態】
【００１５】
〔実施形態１〕
以下、本発明の実施形態１について、詳細に説明する。
【００１６】
図１は、本実施形態に係る液晶表示装置１の構成を示す図である。図１（ａ）は、単一のガンマ補正ＧＣ１を示す。図１（ｂ）は、表示パネル２の印加電圧−透過率特性を示す。図１（ｃ）は、中央領域用のガンマ補正ＧＣ２、および、周辺領域用のガンマ補正ＧＣ３を示す。
【００１７】
本実施形態に係る液晶表示装置１は、液晶を用いた表示パネルであって、セル厚ＣＴの異なる複数の領域を有する表示パネル２と、複数の領域の各々に対し、互いに異なる印加電圧−透過率特性に応じたガンマ補正を行う駆動部３と、を備えている。駆動部３は、表示パネル２のドライバ用ＩＣ（Integrated Circuit）である。液晶表示装置１において、駆動部３は、複数の領域の各々に対し、各領域のセル厚ＣＴに応じた印加電圧−透過率特性に応じたガンマ補正を行ってもよい。複数の領域は、表示パネル２のうち、アクティブエリアＡＡの、中央領域ＣＡと、周辺領域ＰＡとを含んでいてもよい。
【００１８】
アクティブエリアＡＡの、中央領域ＣＡと、周辺領域ＰＡとでセル厚ＣＴが均一であるため、むらがない場合、図１（ａ）に示すように、駆動部３は、単一のガンマ補正ＧＣ１を行う。
【００１９】
しかしながら、アクティブエリアＡＡの、中央領域ＣＡと、周辺領域ＰＡとでセル厚ＣＴが異なる場合、中央領域ＣＡと、周辺領域ＰＡとで、印加電圧−透過率特性を示すＶ−Ｔ曲線が異なる。すなわち、図１（ｂ）に示すように、中央領域ＣＡのＶ−Ｔ曲線ＶＴＣ１と、周辺領域ＰＡのＶ−Ｔ曲線ＶＴＣ２とは、異なっている。そのため、駆動部３が表示パネル２のアクティブエリアＡＡ全体に対して同じ電圧を印加すると、中央領域ＣＡと、周辺領域ＰＡとで、輝度の差が生じる。この輝度の差は、中間調でより顕著になる。
【００２０】
そこで、液晶表示装置１において、駆動部３は、複数の領域として、表示パネル２のうち、アクティブエリアＡＡの、中央領域ＣＡと、周辺領域ＰＡとに関するガンマ補正を行う。すなわち、図１（ｃ）に示すように、駆動部３は、中央領域ＣＡ用のガンマ補正ＧＣ２と、周辺領域ＰＡ用のガンマ補正ＧＣ３とを行う。
【００２１】
詳細には、駆動部３は、アクティブエリアＡＡの、セル厚ＣＴの薄い領域、および、セル厚ＣＴの厚い領域に応じたガンマ補正値が設定されたガンマテーブルを記憶する。また、駆動部３は、むらのある領域に応じたガンマ補正値が設定されたガンマテーブルを記憶する。そして、駆動部３は、各領域のセル厚、むらの有無に応じてガンマテーブルを選択し、当該ガンマテーブルに設定されたガンマ補正値を用いて、各領域のガンマ補正を行う。
【００２２】
なお、各領域のセル厚、むらの有無に関しては、人の目視で判断してもよいし、撮像装置を用いた画像取得、および、画像処理装置を用いた画像認識による測定および判定を行ってもよい。
【００２３】
（実施形態１の効果）
アクティブエリアＡＡに含まれる、中央領域ＣＡと、周辺領域ＰＡとが、セル厚ＣＴの違いにより印加電圧−透過率特性が異なることがある。本発明の実施形態１によれば、印加電圧−透過率特性の異なる、中央領域ＣＡと、周辺領域ＰＡとに対して、個別のガンマ補正を駆動部３が行うことにより、表示パネル２の周辺むらを減らすことができる。
【００２４】
従来のドライバ用ＩＣ（駆動部）は表示パネル全体に対して単一のガンマ設定で表示していた。そのため、セル厚ＣＴが異なる領域を有する表示パネルは、むらが発生するので、不良品となっていた。
【００２５】
本実施形態では、ドライバ用ＩＣは、単一のガンマ設定だけでなく、表示パネル２の領域毎に個別のガンマ設定を行う。従って、セル厚ＣＴが異なる領域を有する表示パネル２であっても、むらを減らして良品化させることができる。
【００２６】
〔実施形態２〕
本発明の実施形態２について、以下に説明する。なお、説明の便宜上、上記実施形態にて説明した部材と同じ機能を有する部材については、同じ符号を付記し、その説明を繰り返さない。
【００２７】
図２は、本実施形態に係る液晶表示装置１の構成を示す図である。図２（ａ）は、単一のガンマ補正ＧＣ４を示す。図２（ｂ）は、むらのない領域用のガンマ補正ＧＣ５、および、むらのある領域用のガンマ補正ＧＣ６を示す。
【００２８】
図２（ａ）に示すように、アクティブエリアＡＡの、一部の領域Ａ１と、領域Ａ１以外の領域Ａ２とでセル厚ＣＴが均一であるため、むらがない場合には、駆動部３は、単一のガンマ補正ＧＣ４を行う。
【００２９】
しかしながら、アクティブエリアＡＡの、領域Ａ１と、領域Ａ２とでセル厚ＣＴが異なると、領域Ａ１と、領域Ａ２とで、印加電圧−透過率特性を示すＶ−Ｔ曲線が異なる。そのため、駆動部３が同じ電圧を表示パネル２に印加すると、領域Ａ１と、領域Ａ２との間において輝度の差が生じて、むらのない領域と、むらのある領域とが現れる。
【００３０】
そこで、図２（ｂ）に示すように、液晶表示装置１において、駆動部３は、複数の領域として、表示パネル２の、領域Ａ１用のガンマ補正ＧＣ５と、領域Ａ２用のガンマ補正ＧＣ６とを行う。
【００３１】
（実施形態２の効果）
本発明の実施形態２によれば、アクティブエリアＡＡにおいて、周辺むら以外にも、むら発生領域用のガンマ補正エリアを任意に設定できるようにすることにより、局所的なむらを減らすことができる。
【００３２】
〔実施形態３〕
本発明の実施形態３について、以下に説明する。なお、説明の便宜上、上記実施形態にて説明した部材と同じ機能を有する部材については、同じ符号を付記し、その説明を繰り返さない。
【００３３】
液晶表示装置１の製造方法において、液晶を用いた表示パネル２が有する、セル厚ＣＴの異なる、複数の領域の各々に対し、互いに異なる印加電圧−透過率特性に応じたガンマ補正を行うように、液晶表示装置１が備えた駆動部３を調整する。なお、アクティブエリアＡＡにおけるむらの有無を確認して、むらが発生している場合に、駆動部３を調整する。むらの有無に関しては、人の目視で判断してもよいし、撮像装置を用いた画像取得、および、画像処理装置を用いた画像認識による判定を行ってもよい。
【００３４】
液晶表示装置１の製造方法において、複数の領域の各々に対し、各領域のセル厚に応じた印加電圧−透過率特性に応じたガンマ補正を行うように、駆動部３を調整してもよい。また、複数の領域は、表示パネル２のうち、アクティブエリアＡＡの、中央領域ＣＡと周辺領域ＰＡとを含んでいてもよい。
【００３５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
〔態様１〕
液晶を用いた表示パネルであって、セル厚の異なる複数の領域を有する表示パネルと、上記複数の領域の各々に対し、互いに異なる印加電圧−透過率特性に応じたガンマ補正を行う駆動部と、を備えている液晶表示装置。
〔態様２〕
上記駆動部は、上記複数の領域の各々に対し、各領域のセル厚に応じた印加電圧−透過率特性に応じたガンマ補正を行う例えば態様１に記載の液晶表示装置。
〔態様３〕
上記複数の領域は、上記表示パネルの中央領域と周辺領域とを含んでいる例えば態様１または２に記載の液晶表示装置。
〔態様４〕
液晶表示装置の製造方法であって、液晶を用いた表示パネルが有する、セル厚の異なる、複数の領域の各々に対し、互いに異なる印加電圧−透過率特性に応じたガンマ補正を行うように、上記液晶表示装置が備えた駆動部を調整する、液晶表示装置の製造方法。
〔態様５〕
上記複数の領域の各々に対し、各領域のセル厚に応じた印加電圧−透過率特性に応じたガンマ補正を行うように、上記駆動部を調整する態様４に記載の液晶表示装置の製造方法。
〔態様６〕
上記複数の領域は、上記表示パネルの中央領域と周辺領域とを含んでいる例えば態様４または５に記載の液晶表示装置の製造方法。
【符号の説明】
【００３６】
１  液晶表示装置
２  表示パネル
３  駆動部
【図１】
2019159117.tif 000003
【図２】
2019159117.tif 000004
【図３】
2019159117.tif 000005